(57)【要約】      （修正有）【課題】杖を使用する高齢者や身体の不自由な者あるいは病院等でリハビリテーションを必要とする者が、車いすやベッドに腰掛ける際や立ち上る際に、杖を簡単に始末・取り出しできる、構造の簡単な杖ホルダーを提供する。【解決手段】弾性ゴム製からなり、ホルダー本体２１の一方に杖１１の胴部を保持する杖保持部を、他方に車いす１の垂直パイプ部材２Ａに対する固着部を形成し、杖保持部は、前方に開口して杖の胴部を前方から挿脱自在に保持する左右一対の杖保持片から構成し、前記固着部は、スリットにより左右に分割されてスリットを拡開する方向に弾性変形可能な一対の固着片から構成し、この一対の固着片は、弾性復帰力によって垂直パイプ部材２Ａに左右から抱き付いて密着固定する構成とする。固着部を締め付ける締め付けバンドを設ける。【選択図】図１
0003132749.tif 000002
【実用新案登録請求の範囲】
【請求項１】
弾性ゴム製からなり、ホルダー本体の一方に杖の胴部を保持する杖保持部が、他方に取付け対象の垂直部材に対する固着部がそれぞれ形成され、
前記杖保持部は、前方に開口して杖の胴部を前方から挿脱自在に保持する左右一対の杖保持片から構成され、
前記固着部は、スリットにより左右に分割されてスリットを拡開する方向に弾性変形可能な一対の固着片から構成され、
この一対の固着片は、弾性復帰力によって取付け対象の垂直部材に左右から抱き付いて密着固定される構成である、ことを特徴とする杖ホルダー。
【請求項２】
前記一対の固着片は、前記一対の杖保持片の摘み操作により、左右に拡開して、垂直部材の両側に位置可能とするとともに、杖保持片の掴み操作の解除により、垂直部材に抱き付いて密着固定される構成である、ことを特徴とする請求項１記載の杖ホルダー。
【請求項３】
前記一対の杖保持片の先端は、奥方から前方へ向けて末広がりとなるテーパ形状とされ、垂直部材の外径に対し、奥方側が幅狭で、前方側が幅広となる寸法とされている、ことを特徴とする請求項１または請求項２記載の杖ホルダー。
【請求項４】
前記一対の杖保持片に、内周面に沿って溝部が形成されている、ことを特徴とする請求項１ないし請求項３記載の杖ホルダー。
【請求項５】
前記一対の固着片の各外面に設けられる面ファスナーと、各面ファスナーに跨って着脱可能に係合する面ファスナーを内面に備えた締め付けバンドとを有する、ことを特徴とする請求項１ないし請求項４記載の杖ホルダー。
【請求項６】
弾性ゴム製からなり、ホルダー本体の杖保持部に保持された杖の下端部を支持するホルダー補助具を有し、
このホルダー補助具は、ホルダー補助具の一方にホルダー本体の杖保持部に保持された杖の下端部を載せる皿部が、他方に取付け対象の垂直部材に対する固着部がそれぞれ形成され、
前記固着部は、スリットにより左右に分割されてスリットを拡開する方向に弾性変形可能な一対の固着片から構成され、
この一対の固着片は、弾性復帰力によって取付け対象の垂直部材に左右から抱き付いて密着固定される構成である、ことを特徴とする請求項１ないし請求項５記載の杖ホルダー。
【考案の詳細な説明】
【技術分野】
【０００１】
本考案は、杖を使用する高齢者や身体の不自由な者あるいは病院等でリハビリテーションを必要とする者が、車いすやベッドに腰掛ける際にあるいはそれらから立ち上る際に、杖を簡単に始末・取り出しできる、杖ホルダーに関するものである。
【背景技術】
【０００２】
足腰の弱った高齢者や身体の不自由な者あるいはリハビリテーションを必要とする者が、自宅や病院内を移動したり、外に出かける場合、杖の助けを借りたり、車いすを用いる例が多い。ところが、車いすで移動する場合には、杖の始末に困ることが多い。
【０００３】
例えば、車いすに腰掛けた姿勢で、杖を膝の上に載せながら移動すると、杖が膝の上で安定せず、車いすから床に落ちるおそれがある。高齢者等にとって、車いすに腰掛けた姿勢で、床に落ちた杖を拾うのは、無理な姿勢、動作を強いられることもあり、一苦労である。
【０００４】
また、車いすによる移動だけでなく、自宅や病院のベッドに腰掛けたり、横になる際にも杖の始末に困ることが多く、杖をベッドの脇に立て掛けたままにしておくと、はずみで杖が床に落ちるおそれがある。この場合も、高齢者等にとって、床から杖を拾い上げるには、腰を屈めた無理な姿勢、動作を強いられ、非常に苦労する。
【０００５】
杖ホルダーとして、従来より、トイレや受付デスク等の壁面の適宜位置に支持板部材を接着固定し、支持板部材にＣ字状弾性係止片部を設置し、杖を前記Ｃ字状弾性係止片部に着脱できるようにしたもの（特許文献１）、電動車いすの後部に杖保持装置を設けて、同杖保持装置内に杖を保持できるようにしたもの（特許文献２）が提案されている。
【０００６】
【特許文献１】特許公開２００４−５７４２２号公報
【特許文献２】特許公開平８−１１２３１５号公報
【考案の開示】
【考案が解決しようとする課題】
【０００７】
しかし、特許文献１の杖ホルダーは、単に壁面付近に杖を保持させることができるに過ぎず、移動する車いすには適用できず、また、特許文献２の電動車いすの杖保持装置の場合は、構造が複雑であって、製造コストの面から言っても、高価な価格帯の電動車いす以外に適用するのは難しいものである。
【０００８】
本考案は前記課題に鑑みてなされたもので、その目的とするところは、杖を使用する高齢者や身体の不自由な者が、車いすやベッドに腰掛ける際や立ち上る際に、杖を簡単に始末・取り出しできる杖ホルダーを提供することにある。また、、構造が非常に簡単で、車いすやベッドに簡単に取付け・取り外しができ、製造コストの安価な杖ホルダーを提供することにある。さらには、取扱いの安全な杖ホルダーを提供することにある。
【課題を解決するための手段】
【０００９】
前記課題を達成するために、本考案に係る請求項１の杖ホルダーは、弾性ゴム製からなり、ホルダー本体の一方に杖の胴部を保持する杖保持部が、他方に取付け対象の垂直部材に対する固着部がそれぞれ形成され、
前記杖保持部は、前方に開口して杖の胴部を前方から挿脱自在に保持する左右一対の杖保持片から構成され、
前記固着部は、スリットにより左右に分割されてスリットを拡開する方向に弾性変形可能な一対の固着片から構成され、
この一対の固着片は、弾性復帰力によって取付け対象の垂直部材に左右から抱き付いて密着固定される構成である、ことを特徴とする。
【００１０】
本考案の請求項１記載の杖ホルダーによると、取付け対象である車いすやベッドの垂直部材に対し、ホルダー本体を取り付けるには、まず、ホルダー本体の他方の固着部の固着片の先端を左右に弾性変形させて、その間のスリットを拡開し、その状態で、垂直部材を間に挟んでその両側に位置させ、しかる後、弾性復帰力によって、左右の固着片を、垂直部材に対し左右から抱き付かせるようにして密着固定させる。左右の固着片の左右への弾性変形と弾性復帰力を利用して、ホルダー本体を垂直部材に対し簡単に取り付けできる。
【００１１】
杖使用者は、起立状態の杖の胴部をホルダー本体の前方から左右の杖保持片の内側に押し込むことで、杖をホルダー本体に対し簡単に保持させることができる。これにより、杖を使用する高齢者や身体の不自由な者が、車いすやベッドに腰掛ける際や立ち上る際に、手元で、杖を簡単に始末・取り出しできる。
【００１２】
また、上記構造の杖ホルダーは、弾性ゴム製からなるもので、一体構造で実現でき、構造が非常に簡単で、安価な製造コストで提供できる。しかも、ゴム製であるから、金属製などに比べて取扱いが安全であり、手の不自由な者が取り扱い時に怪我をするといった不具合もない。
【００１３】
本考案の請求項２に係る杖ホルダーは、前記一対の固着片が、前記一対の杖保持片の摘み操作により、左右に拡開して、垂直部材の両側に位置可能とするとともに、杖保持片の掴み操作の解除により、垂直部材に抱き付いて密着固定される構成である、ことを特徴とする。
【００１４】
本考案の請求項２記載の杖ホルダーによると、一対の杖保持片の摘み操作および解除操作により、ホルダー本体を取付け対象の垂直部材に対し、より簡単に取り付けることができるし、取り外しも容易である。
【００１５】
本考案の請求項３に係る杖ホルダーは、前記一対の杖保持片の先端を、奥方から前方へ向けて末広がりとなるテーパ形状とし、垂直部材の外径に対し、奥方側が幅狭で、前方側が幅広となる寸法としたことを特徴とする。
【００１６】
本考案の請求項３記載の杖ホルダーによると、前記一対の杖保持片の先端を、奥方から前方へ向けて末広がりとなるテーパ形状としたから、左右の杖保持片を左右に弾性変形させながら、杖の胴部を前方から杖保持片の内側奥方へスムーズに挿通させることができ、力の弱った高齢者等であっても、杖をより簡単かつ確実にホルダー本体に保持させることができる。
【００１７】
本考案の請求項４に係る杖ホルダーは、前記一対の杖保持片に、内周面に沿って溝部を形成したことを特徴とする。
【００１８】
本考案の請求項４記載の杖ホルダーによると、一対の杖保持片を溝部により一部薄肉形成して、杖保持片をより弾性変形しやすくすると共に、杖の胴部が通過する際の摩擦抵抗を減らすことができる。これにより、杖の胴部をよりスムーズに杖保持片内に挿通し、あるいは杖保持片内から取り出しできる。
【００１９】
本考案の請求項５に係る杖ホルダーは、前記一対の固着片の各外面に設けられる面ファスナーと、各面ファスナーに跨って着脱可能に係合する面ファスナーを内面に備えた締め付けバンドとを有することを特徴とする。
【００２０】
本考案の請求項５記載の杖ホルダーによると、着脱可能な締め付けバンドにより固着部を締め付けることで、垂直部材に対する固着部の固着状態をより確実にすることができる。また、締め付けバンドによる固着部の締め付け寸法を調整することで、杖保持片の開口部における幅寸法を調整できる。杖保持片の開口部の幅を調整することにより、杖の胴部の外径サイズの大小に対応して、杖の胴部の挿脱時に理想的な弾性力を確保できる。
【００２１】
本考案の請求項６記載の杖ホルダーは、
弾性ゴム製からなり、ホルダー本体の杖保持部に保持された杖の下端部を支持するホルダー補助具を有し、
このホルダー補助具は、ホルダー補助具の一方にホルダー本体の杖保持部に保持された杖の下端部を載せる皿部が、他方に取付け対象の垂直部材に対する固着部がそれぞれ形成され、
前記固着部は、スリットにより左右に分割されてスリットを拡開する方向に弾性変形可能な一対の固着片から構成され、
この一対の固着片は、弾性復帰力によって取付け対象の垂直部材に左右から抱き付いて密着固定される構成である、ことを特徴とする。
【００２２】
本考案の請求項６記載の杖ホルダーによると、取付け対象が車いすの場合、車いすの垂直部材に対し、ホルダー本体の直下に位置してホルダー補助具を取付け、ホルダー本体に保持させた杖を下から支えることで、杖の保持をより確実なものとする。また、ホルダー補助具は、ホルダー本体と同様に、車いすの垂直部材に対する取付けが簡単であり、また、弾性ゴム製からなるので、構造が非常に簡単で、安価な製造コストで提供できる。
【００２３】
そして、ホルダー本体、ホルダー補助具いずれも、弾性ゴム製からなるので、例えば弾性ゴム製の厚めの板を打ち抜き加工する単純な方法により、それらホルダー本体、ホルダー補助具を製作することができ、従来に比べて、非常に構造が簡単で効果の高い杖ホルダーを安く実現可能である。
【考案の効果】
【００２４】
本考案の杖ホルダーによると、車いすやベッドなどの垂直部材部分に対し、杖を保持させるホルダー本体を取り付けることで、杖を使用する高齢者や身体の不自由な者あるいは病院等でリハビリテーションを必要とする者が、車いすやベッドに腰掛ける際や立ち上る際に、杖を簡単に始末し、取り出しできるという効果を奏する。また、ホルダー本体は、弾性ゴム製からなるもので、簡単に取付け・取り外しができ、製造コストも安く作れるという優れた効果を奏する。さらに、弾性ゴム製であるから、取扱いに安全で高齢者等に優しいという効果を奏する。
【考案を実施するための最良の形態】
【００２５】
以下、図面を参照して、本考案の第１の実施形態を説明する。図１は本考案に係る杖ホルダーを車いすに取り付けた例を示している。同図において、符号１は車いす、符号２０は杖ホルダーである。
【００２６】
まず、車いす１の構造について説明すると、車いす１は、大きく分けて手動式と電動式があるが、図１に示す車いす１は、手動式の例である。車いす１は、主に金属パイプで構成されたフレーム２と、このフレーム２に取り付けられた座席３および背もたれ４と、同じくフレーム２に取り付けられたアームレスト５（肘掛け）およびフットレスト６（足置き）と、フレーム２を安定支持する左右一対の後輪（大車輪）７および前輪（小車輪）８と、手元に位置するブレーキ９とから基本構成されており、手動式の場合、後輪７の両側に手の力を後輪に伝えるハンドリム１０が一体に取り付けられている。
【００２７】
杖ホルダー２０は、杖１１を挿脱自在に保持するもので、図１の例では、車いす１のフレーム２の前部左右いずれかの垂直パイプ部材に取り付けられる。図１の例では、車いす１を正面視して左側の垂直パイプ部材２Ａに取り付けられている。
【００２８】
図示例の杖ホルダー２０は、垂直パイプ部材２Ａの上寄りに取り付けられるホルダー本体２１と、垂直パイプ部材２Ａの下寄りに取り付けられるホルダー補助具２２とから構成されている。ホルダー本体２１は、杖１１の胴部１１ａを挿脱自在に保持するもので、ホルダー補助具２２は、ホルダー本体２１に保持された杖１１の下端部１１ｂを下から支えるものである。
【００２９】
ホルダー本体２１は、ウレタンゴム等の弾性ゴム製からなるもので、図２に示すように、その一方に杖１１の胴部１１ａを保持する杖保持部２３が形成され、他方に車いす１の前記垂直パイプ部材２Ａに対する固着部２４がそれぞれ形成されている。
【００３０】
杖保持部２３は、前方に開口部２５を設けて杖１１の胴部１１ａを前方から挿脱自在に保持する左右一対の杖保持片２６，２６から構成されており、開口部２５において、各杖保持片２６の先端を、奥方から前方へ向けて末広がりとなるテーパ形状とし、杖１１の胴部１１ａの外径Ｄ０に対し、奥方側の幅寸法Ｗ１が幅狭で、前方側の幅寸法Ｗ２が幅広となる寸法に設定されている（図３（Ａ）参照）。これにより、左右の杖保持片２６，２６を左右に向けて弾性変形させながら、杖１１の胴部１１ａを前方から杖保持片２６，２６の内側奥方へスムーズに挿通させることができ、力の弱った高齢者等であっても、杖１１をより簡単かつ確実にホルダー本体２１に保持させることができるようになっている。
【００３１】
また、各杖保持片２６には、開口部２５の幅狭部から内周面に沿って奥方へ延在する溝部２６ａが形成されている。これにより、各杖保持片２６を溝部２６ａにより一部薄肉形成して、杖保持片２６をより弾性変形しやすくすると共に、杖１１の胴部１１ａが通過する際の摩擦抵抗を減らすことができるように工夫がなされている。
【００３２】
固着部２４は、スリット２７により左右に分割されてスリット２７を左右に拡開する方向に弾性変形可能な一対の固着片２８，２８から構成されており、この一対の固着片２８，２８は、弾性復帰力（図３（Ａ）の符号Ｆ）によって車いす１の垂直パイプ部材２Ａに左右から抱き付いて密着固定されるようになっている。そして、固着部２４は、図４（Ａ）に示すように、前記一対の杖保持片２６，２６の摘み操作により、一対の固着片２８，２８が、左右に拡開して、垂直部材２Ａの両側に位置可能とし、杖保持片２６，２６の掴み操作の解除により、垂直部材２Ａに抱き付いて密着固定されるようになっている。
【００３３】
ホルダー補助具２２は、ウレタンゴム等の弾性ゴム製からなるもので、その一方にホルダー本体２１に保持された杖１１の下端部１１ｂを載せる皿部２９が、他方に車いす１の垂直パイプ部材２Ａに対する固着部３０がそれぞれ形成されている。前記皿部２９の上面には、杖１１の下端部１１ｂの脱落防止用に凹部２９ａが形成されている。
【００３４】
前記固着部３０は、中央のスリット３１により左右に分割されてスリット３１を左右に拡開する方向に弾性変形可能な一対の固着片３２，３２から構成されており、この一対の固着片３２，３２は、弾性復帰力（図３（Ｂ）の符号Ｆ）によって車いす１の垂直パイプ部材２Ａの下寄りに左右から抱き付いて密着固定される構成とされている。
【００３５】
前記構成の杖ホルダー２０は、簡単に取り付けることができる。まず、車いす１の垂直パイプ部材２Ａに対し、上寄りにホルダー本体２１を取り付ける。杖保持片２６，２６の摘み操作により、弾性復帰力に抗して、固着部２４の固着片２８，２８の先端を左右に開くように弾性変形させて、その間のスリット２７を拡開し、その状態で、左右の固着片２８，２８を、垂直パイプ部材２Ａを間に挟んでその両側に位置させ、しかる後、弾性復帰力によって、左右の固着片２８，２８を、垂直パイプ部材２Ａに対し左右から抱き付かせるようにして密着固定させる。左右の固着片２８，２８の左右への弾性変形と弾性復帰力を利用して、ホルダー本体２１を垂直パイプ部材２Ａに対し簡単に取り付けできる。
【００３６】
同様にして、車いす１の垂直パイプ部材２Ａに対し、下寄りにホルダー補助具２２を取り付ける。ホルダー補助具２２は、固着部３０の左右の固着片３２，３２を手で左右に弾性変形させて、スリット３１を左右に拡開させ、上記と同様の要領で、左右の固着片３２，３２を、垂直パイプ部材２Ａに対し左右から抱き付かせるようにして密着固定させる。ホルダー補助具２２も簡単に取り付けることができる。
【００３７】
後は、杖使用者が、車いす１に腰掛ける際に、杖１１の下端部１１ｂをホルダー補助具２２の皿部２９の凹部２９ａ内に置くと共に、杖１１をホルダー本体２１に保持させるだけでよく、杖１１の始末が右手、左手にかかわらず、利き手の片方で簡単に行える。また、車いす１で移動する際も杖１１が邪魔にならず、杖１１が床面上に落下することもない。車いす１から立ち上がる際は、手元のホルダー本体２１から杖１１を軽く取り外すだけでよい。
【００３８】
杖１１がホルダー本体２１に保持されている姿勢では、垂直パイプ部材２Ａに沿った略垂直姿勢のままであるから、車いす１を横方向に折り畳んだ状態においても、杖１１が邪魔になることがなく、狭い空間にコンパクトに収容できる。
【００３９】
図５は、本発明の第２の実施形態を示すもので、病院あるいは一般介護用のベッド４０に対し、本考案の杖ホルダー５０を取り付けて使用する例を示している。図５に示すように、ベッド４０は、主に金属パイプで構成されるフレーム４１と、フレーム４１上に支持されるマットレス４２と、フレーム４１を床面上に移動可能に支持する四隅の車輪４３とから、基本構成されている。
【００４０】
本考案の杖ホルダー５０は、ホルダー本体５１から構成され、ベッド４０のフレーム４１の足元側の垂直パイプ部材４１Ａに対してホルダー本体５１が取り付けられている。ホルダー本体５１は、前記と同じく、ウレタンゴム等の弾性ゴム製からなるもので、図６に示すように、その一方に杖１１の胴部１１ａを保持する杖保持部５２が、他方にベッド４０の前記垂直パイプ部材４１Ａに対する固着部５３がそれぞれ形成されている。
【００４１】
杖保持部５２は、図２に示すホルダー本体２１と同じく、左右一対の杖保持片５４，５４から構成されている。各杖保持片５４には，内周面に沿って奥方へ延在する溝部５４ａが形成されている。ベッド４０の垂直パイプ部材４１Ａは、図７に示すように、左右に細長い扁平形の断面形状をしており、その結果、ホルダー本体５１の固着部５３は、その固着片５５，５５の内面形状が垂直パイプ部材４１Ａの外面形状に合致する形状とされている。
【００４２】
本考案の杖ホルダー５０の取り付け方法は、前記した車いす１の垂直パイプ部材２Ａに対する取付け方法と同様であるので、その説明は省略する。
【００４３】
杖使用者は、ベッド４０に腰掛けたり横になる際に、杖１１をベッド４０の脇のホルダー本体５１に保持させて杖１１を始末でき、また、ベッド４０から立ち上がる際には、ホルダー本体５１に保持させた杖１１をさっと取り出すことができる。
【００４４】
図８および図９は、本考案の第３の実施形態を示すもので、ホルダー本体２１の固着部２４の各固着片２８の外面にゴム系粘着剤を塗布してその上に面ファスナー５０が取付固定されており、各面ファスナー５０，５０に跨って、面ファスナー５１を内面に備えた締め付けバンド５２を着脱可能に取付固定するようにしたものである。前者の面ファスナー５０には多数のループ部が形成され、後者の締め付けバンド５２側の面ファスナー５１には多数のフック部が形成されている。フック部が前記ループ部に係合することで、面ファスナー５０、５１同士を互いに着脱可能に係合できるようになっている。
【００４５】
これにより、面ファスナー５０、５１同士の係合により、締め付けバンド５２で固着部２４を締め付け、あるいは、締め付けバンド５２の締め付け力の調整によって杖保持部２３の開口部２５の幅狭部における幅寸法を調整できるようになっている。
【００４６】
例えば、杖１１の胴部１１ａの外径サイズが１８ｍｍ、２２ｍｍの複数サイズあると仮定すると、図９（Ａ）に示すように、垂直部材２Ａに対し固着片２６，２６を左右から締め付けながらも、スリット２７の幅を若干残した状態で、締め付けバンド５２を固着片２８，２８の外面に取り付け固定する。これにより、杖保持片２６，２６の開口部２５の幅狭部における幅寸法Ｗ１を例えば１７ｍｍと狭く設定し、１８ｍｍサイズの杖１１に対応することができる。
【００４７】
一方、図９（Ｂ）に示すように、スリット２７の幅を残さないようにして垂直部材２Ａに対し固着片２６，２６を左右から強く締め付けて、締め付けバンド５２を固着片２８，２８の外面に取り付け固定すると、杖保持片２６，２６の開口部２５の幅狭部における幅寸法Ｗ１を例えば、２０ｍｍと広く設定し、２２ｍｍサイズの杖１１に対応することができる。このように、杖１１の胴部１１ａの外径サイズに応じて杖保持片２６，２６の開口部２５の幅狭部における幅寸法Ｗ１を適宜設定することにより、杖１１の胴部１１ａが開口部２５を通過する際の杖保持片２６の理想的な弾性力を確保することができる。
【産業上の利用可能性】
【００４８】
本考案の杖ホルダーは、車いすやベッドのフレームである垂直部材に対し取り付けて使用され、杖の始末や取り出しに利用される。また、車いすやベッドだけでなく、取付け可能な部材があれば幅広く利用でき、例えば、乗用自動車の後部や前部に取り付けて、自動車に乗り降りする際の杖の始末や取り出しにも利用可能である。
【図面の簡単な説明】
【００４９】
【図１】本考案の杖ホルダーを車いすの垂直パイプ部材に対して取り付けた例を示す斜視図である。
【図２】図１に示す杖ホルダーを構成するホルダー本体とホルダー補助具を示す斜視図である。
【図３】（Ａ）はホルダー本体を車いすの垂直パイプ部材に取り付けて、杖を保持させた状態を示す平面図、（Ｂ）はホルダー補助具を車いすの垂直パイプ部材に取り付けて、杖の下端部を支持する状態を示す平面図である。
【図４】（Ａ）はホルダー本体の杖保持片を摘んで固着片を左右に開き、垂直パイプ部材に抱き付かせようとする状態を示す平面図、（Ｂ）はホルダー補助具の固着片を左右に開き、垂直パイプ部材に抱き付かせようとする状態を示す平面図である。
【図５】本考案の杖ホルダーをベッドの垂直パイプ部材に対して取り付けた例を示す斜視図である。
【図６】図５に示すベッド用のホルダー本体を示す斜視図である。
【図７】ホルダー本体をベッドの垂直パイプ部材に取り付けて、杖を保持させた状態を示す平面図である。
【図８】ホルダー本体の固着部を締め付ける締め付けバンドを設ける例を示す要部斜視図である。
【図９】（Ａ）は締め付けバンドを用いて杖保持片の開口部を狭く設定する例を示す平面図、（Ｂ）は同締め付けバンドを用いて杖保持片の開口部を広く設定する例を示す平面図である。
【符号の説明】
【００５０】
１  車いす
２，４１  フレーム
２Ａ，４１Ａ  垂直パイプ部材
３  座席
４  背もたれ
５  アームレスト
６  フットレスト
７  後輪
８  前輪
９  ブレーキ
１０  ハンドリム
１１  杖
１１ａ  杖の胴部
１１ｂ  杖の先端部
２０、５０  杖ホルダー
２１，５１  ホルダー本体
２２  ホルダー補助具
２３，５２  杖保持部
２４，３０，５３  固着部
２５  開口部
２６，５４  杖保持片
２６ａ，５４ａ  溝部
２７，３１  スリット
２８，３２，５５  固着片
２９  皿部
２９ａ  凹部
４０  ベッド
４２  マットレス
４３  車輪
５０，５１  面ファスナー
５２  締め付けバンド
【図１】
0003132749.tif 000003
【図２】
0003132749.tif 000004
【図３】
0003132749.tif 000005
【図４】
0003132749.tif 000006
【図５】
0003132749.tif 000007
【図６】
0003132749.tif 000008
【図７】
0003132749.tif 000009
【図８】
0003132749.tif 000010
【図９】
0003132749.tif 000011